(57)【要約】【課題】  光モジュールの寸法の増加を抑制しながら、環境温度の変化に対しても光学窓部材が破損することを抑制した光モジュールを提供すること。【解決手段】  光学素子を筐体１内に収容し、該光学素子への入力光又は出力光を通過させると共に、該筐体内の気密封止を行なう光学窓部材３を備えた光モジュールにおいて、該光学窓部材３を保持する保持部材７を備え、該光学窓部材は、該保持部材を介して該筐体に固定されており、該保持部材と該光学窓部材との線膨張係数の差は、該筐体と該光学窓部材との線膨張係数の差よりも小さく、該保持部材上で該光学窓部材を取り付ける位置は、該保持部材自体を固定する位置よりも、光学素子側に突出して設けられていることを特徴とする。【選択図】図５
2019179067.tif 000002
【特許請求の範囲】
【請求項１】
光学素子を筐体内に収容し、該光学素子への入力光又は出力光を通過させると共に、該筐体内の気密封止を行なう光学窓部材を備えた光モジュールにおいて、
該光学窓部材を保持する保持部材を備え、
該光学窓部材は、該保持部材を介して該筐体に固定されており、
該保持部材と該光学窓部材との線膨張係数の差は、該筐体と該光学窓部材との線膨張係数の差よりも小さく、
該保持部材上で該光学窓部材を取り付ける位置は、該保持部材自体を固定する位置よりも、光学素子側に突出して設けられていることを特徴とする光モジュール。
【請求項２】
請求項１に記載の光モジュールにおいて、該筐体の外部に、前記入力光又は出力光を集光するレンズを収容する鏡筒を備え、該鏡筒は台座を介して該筐体に固定したことを特徴とする光モジュール。
【請求項３】
請求項２に記載の光モジュールにおいて、該保持部材は該台座に固定されていることを特徴とする光モジュール。
【発明の詳細な説明】
【技術分野】
【０００１】
本発明は、光モジュールに関し、特に、光学素子を筐体内に収容し、該光学素子への入力光又は出力光を通過させると共に、該筐体内の気密封止を行なう光学窓部材を備えた光モジュールに関する。
【背景技術】
【０００２】
光通信分野や光計測分野において、光変調素子などの光学素子を筐体内に収容する光モジュールが利用されている。
筐体内に収容される光学素子に対し、入力光を導入する際や、出力光を導出する際には、筐体の一部に貫通孔を形成し、当該貫通孔を気密封止すると共に、入力光や出力光が通過できるよう構成した光学窓部材が配置されている。
【０００３】
特許文献１に示す従来の光モジュールでは、図１のように、筐体１内に収容される光変調素子２を収容する筐体から信号光を取り出す光学窓部材３を筐体に取り付け、その近傍に光コリメータ用のレンズ４を実装するための金属製台座５を設けていた。符号６は、レンズ４からの信号光を伝送する光ファイバである。
【０００４】
しかしながら、環境温度が変化すると、ＳＵＳ３０３等の金属で構成される筐体１と、サファイア基板で構成される光学窓部材３とでは、線膨張差が発生し、強度が低い光学窓部材が破損するなどの不具合を生じていた。
【０００５】
これを解決するために、特許文献１の段落００２１に開示されているように、筐体と光学窓部材との間に、光学窓部材を保持するホルダーなどの介挿部材を設けることが提案されている。さらに介挿部材の線膨張係数を、筐体の構成材料と光学窓部材の構成材料との間の線膨張係数に設定することが提案されている。
【０００６】
図２は、光学窓部材３をホルダーなどの保持部材７で保持し、さらに、保持部材７を筐体１に固定した様子を示している。ここで、保持部材７には、コバール等の低い線膨張係数を有する金属が使用される。
【０００７】
図２の構成に、さらに、光コリメータ用レンズ４を組み合わせると、図３のような構成となる。レンズ４を収容するレンズ鏡筒４０と台座５とは、ＹＡＧ溶接で接合されるため、所定の肉厚が必要となる。このため、台座５とレンズ鏡筒４との接触する部分の厚みを薄くすることができず、また、台座５の内側に保持部材７が配置されるスペースを確保するため、台座５が筐体の外側により一層突出する構造となる。
【０００８】
図３のように保持部材７を配置すると、保持部材の影響で台座５のサイズも大きくなり、結果として光モジュール全体の寸法が増大するという不具合を生じる。
【先行技術文献】
【特許文献】
【０００９】
【特許文献１】特許第６１０７３１９号公報
【発明の概要】
【発明が解決しようとする課題】
【００１０】
本発明が解決しようとする課題は、上述したような問題を解決し、光モジュールの寸法の増加を抑制しながら、環境温度の変化に対しても光学窓部材が破損することを抑制した光モジュールを提供することである。
【課題を解決するための手段】
【００１１】
上記課題を解決するため、本発明の光モジュールは、以下の技術的特徴を有する。
（１）  光学素子を筐体内に収容し、該光学素子への入力光又は出力光を通過させると共に、該筐体内の気密封止を行なう光学窓部材を備えた光モジュールにおいて、該光学窓部材を保持する保持部材を備え、該光学窓部材は、該保持部材を介して該筐体に固定されており、該保持部材と該光学窓部材との線膨張係数の差は、該筐体と該光学窓部材との線膨張係数の差よりも小さく、該保持部材上で該光学窓部材を取り付ける位置は、該保持部材自体を固定する位置よりも、光学素子側に突出して設けられていることを特徴とする。
【００１２】
（２）  上記（１）に記載の光モジュールにおいて、該筐体の外部に、前記入力光又は出力光を集光するレンズを収容する鏡筒を備え、該鏡筒は台座を介して該筐体に固定したことを特徴とする。
【００１３】
（３）  上記（２）に記載の光モジュールにおいて、該保持部材は該台座に固定されていることを特徴とする。
【発明の効果】
【００１４】
本発明は、光学素子を筐体内に収容し、該光学素子への入力光又は出力光を通過させると共に、該筐体内の気密封止を行なう光学窓部材を備えた光モジュールにおいて、該光学窓部材を保持する保持部材を備え、該光学窓部材は、該保持部材を介して該筐体に固定されており、該保持部材と該光学窓部材との線膨張係数の差は、該筐体と該光学窓部材との線膨張係数の差よりも小さく、該保持部材上で該光学窓部材を取り付ける位置は、該保持部材自体を固定する位置よりも、光学素子側に突出して設けられているため、筐体の外側に保持部材が張り出すことが抑制され、光モジュール全体の寸法の増加を抑制することが可能となる。しかも、保持部材の線膨張係数により、光学窓部材が筐体の線膨張により破損することも抑制される。
【図面の簡単な説明】
【００１５】
【図１】従来の光モジュールの概要を示す平面図である。
【図２】光学窓部材を保持する保持部材を備えた光モジュールの概要を示す平面図である。
【図３】図２の光モジュールに、光コリメータ用のレンズ鏡筒を配置したものをの概要を示す平面図である。
【図４】本発明の光モジュールに係る第１の実施例を示す平面図である。
【図５】本発明の光モジュールに係る第２の実施例を示す平面図である。
【図６】本発明の光モジュールに係る第３の実施例を示す平面図である。
【発明を実施するための形態】
【００１６】
以下、本発明の光モジュールについて、好適例を用いて詳細に説明する。
本発明の光モジュールは、図４乃至６に示すように、光学素子（不図示）を筐体１内に収容し、該光学素子への入力光又は出力光を通過させると共に、該筐体内の気密封止を行なう光学窓部材３を備えた光モジュールにおいて、該光学窓部材３を保持する保持部材７を備え、該光学窓部材は、該保持部材を介して該筐体に固定されており、該保持部材と該光学窓部材との線膨張係数の差は、該筐体と該光学窓部材との線膨張係数の差よりも小さく、該保持部材上で該光学窓部材を取り付ける位置は、該保持部材自体を固定する位置よりも、光学素子側に突出して設けられていることを特徴とする。
【００１７】
図４は、本発明の光モジュールに係る第１の実施例を説明する図である。第１の実施例では、光学窓部材３を保持する保持部材７を、筐体１の内壁に接着固定している。本発明の光モジュールでは、光コリメータ用のレンズ４を収納するレンズ筐体４０を台座５を介して、筐体１に固定配置し、保持部材７の一部が、筐体１と台座５との接合面の一から台座側に突出しないよう構成している。これにより、台座５の光軸方向の厚さは、レンズ筐体４０を安定して固定できる最小限の厚さとすることができるため、光モジュールの寸法が増大することを抑制することができる。
【００１８】
本発明の光モジュールでは、光学窓部材３にサファイア等の透明基板が利用される。光学窓部材３を保持する保持部材７には、筐体１を構成する材料（通常、ＳＵＳ３０３、ＳＵＳ３０４等の金属材料が使用される。）よりも線膨張係数が、光学窓部材に近い材料であるコバール（鉄、ニッケル、コバルトの合金）等が使用される。これにより、保持部材と光学窓部材との線膨張係数の差は、従来の筐体と光学窓部材との線膨張係数の差よりも小さくすることができるため、環境温度が変化しても、保持部材と光学窓部材との間で発生する応力歪による光学窓部材の破損等を防止することが可能となる。
【００１９】
また、保持部材の厚みは、材料にもよるが、光学窓部材への衝撃や機械的応力を緩和する効果を備えるため、コバールの場合は１ｍｍ以上の厚みを持たせることが、好ましい。このような保持部材の厚みも、光モジュールの寸法の増大に影響を及ぼすため、後述の第２又は第３の実施例で説明するような保持部材の固定構造に関する工夫も必要となる。
【００２０】
図４の第１の実施例では、保持部材７が筐体内に大きく突出している。このため、その突出した分だけ筐体自体の寸法を大きくする必要がある。これを解消する方法として、図５の第２の実施例のように、筐体１の外側から保持部材７を筐体１に固定するよう構成することも可能である。
【００２１】
図５の第２の実施例においては、保持部材７は貫通孔が形成されており、その貫通孔の一端には光学窓部材３が固定される。保持部材７は光学窓部材３が筐体の内側となるように筐体外部に形成された窪みに半田等で固定される。またレンズ筐体４０を固定するための台座５は保持部材７の固定部から離間して筐体１にＹＡＧ溶接等で固定される。このような構成とすることで筐体１の外側に保持部材７が張り出すことが抑制され、光モジュール全体の寸法の増加を抑制することが可能となる。
【００２２】
次に、図６に第３の実施例の構成を示す。図５に示した第２の実施例の構成では、保持部材７は光学窓部材３が筐体の内側となるように筐体外部に形成された窪みに固定されていたが、図６に示す第３の実施例の構成においては、保持部材７に固定された光学窓部材３が筐体の内側となるように保持部材７を配置される点では図５と共通しているが、保持部材７がレンズ鏡筒４０を保持する台座５の筐体側の面に、固定されている点で異なっている。
【００２３】
このような光モジュールの組み立て方法としては、例えば、最初に光学窓部材３を保持部材７に取り付け、次に、保持部材７を台座５に接合する。最後に、台座５を筐体１に接合することで、光学窓部材３を筐体１の所定位置に配置することができる。作業手順はこのような順序に拘らないのは、言うまでもない。
【００２４】
第３の実施例の利点は、保持部材７の接合部分を、台座５の裏面に配置することができるため、図５のような台座５と保持部材７の固定部とを離間させる必要がなくなり、これにより保持部材７が筐体１の内部に向けて突出する量を極力抑制することが可能となることである。しかも、台座部分の線膨張方向が図６の左方向であるのに対し、保持部材７の線膨張方向は図６の右方向となるため、筐体１に対する光学窓部材３の変位量を、第１及び第２の実施例と比較して、少なくすることが可能となり、温度変化に対する光モジュールの光学特性の変化を抑制することができる。
【００２５】
また、このような構成において台座５の線膨張係数は、保持部材７の線膨張係数よりも大きい方が、保持部材７が筐体１の内部に温度変化により突出することが抑制されるため、
筐体１内部のスペースを有効に利用することができ、光モジュールの小型化に寄与する。
【産業上の利用可能性】
【００２６】
以上説明したように、本発明によれば、光モジュールの寸法の増加を抑制しながら、環境温度の変化に対しても光学窓部材が破損することを抑制した光モジュールを提供することができる。
【符号の説明】
【００２７】
１  筐体
２  光学素子
３  光学窓部材
４  レンズ
５  台座
６  光ファイバ
４０  レンズ鏡筒
【図１】
2019179067.tif 000003
【図２】
2019179067.tif 000004
【図３】
2019179067.tif 000005
【図４】
2019179067.tif 000006
【図５】
2019179067.tif 000007
【図６】
2019179067.tif 000008